(57)【特許請求の範囲】
【請求項１】
デジタルデータのデジタル伝送方式による一の搬送波で伝送できるデータ速度以上のトランスポートストリーム形式のデジタルデータを伝送路に伝送するデジタルデータの送信装置において、
前記トランスポートストリーム形式のデジタルデータに他のトランスポートストリーム形式のデジタルデータを多重化し、前記多重化されたトランスポートストリーム形式のデジタルデータに、ヘッダ生成手段により生成された複数トランスポートストリームヘッダとヌルデジタルデータ生成手段により生成されたヌルデジタルデータとを合成し、複数トランスポートストリーム形式のデジタルデータを生成する合成手段と、
クロック同期発生手段の伝送速度と複数トランスポートストリーム形式のデジタルデータの速度の速度誤差に応じてヌルデジタルデータを生成し前記合成手段に加えるヌルデジタルデータ生成手段と、
前記合成手段により生成された複数トランスポートストリーム形式のデジタルデータを２以上の複数トランスポートストリーム形式のデジタルデータに分離する分離手段と、
を有する複数トランスポートストリーム多重化分割手段と、
前記複数トランスポートストリーム多重化分割手段により生成されたそれぞれの複数トランスポートストリーム形式のデジタルデータで搬送波をデジタル変調し複数のデジタル被変調波を生成するデジタル変調手段と、
前記複数のデジタル被変調波を周波数多重して前記伝送路に送出する信号合成手段とを備えたことを特徴とするデジタルデータの送信装置。
【請求項２】
請求項１に記載のデジタルデータの送信装置において、
前記分離手段は、前記分離されたデジタルデータの内の少なくとも一の複数トランスポートストリーム形式のデジタルデータに前記ヘッダ生成手段により生成された複数トランスポートストリームヘッダを割り当て、他の複数トランスポートストリーム形式のデジタルデータには予め設定された複数トランスポートストリームヘッダを割り当てる手段を備えたことを特徴とするデジタルデータの送信装置。
【請求項３】
請求項１に記載のデジタルデータの送信装置において、
前記分離手段は、前記ヘッダ生成手段により生成された複数トランスポートストリームヘッダを複製する複製手段を備え、前記複製手段により複製された前記複数トランスポートストリームヘッダを前記分離されたそれぞれの複数トランスポートストリーム形式のデジタルデータに合成し、同一の複数トランスポートストリームヘッダを有する複数トランスポートストリーム形式のデジタルデータに分離することを特徴とするデジタルデータの送信装置。
【請求項４】
伝送路を用いて伝送される複数のデジタル被変調波から元のトランスポートストリーム形式のデジタルデータを復元するデジタルデータの受信装置において、
前記デジタル被変調波から所望のデジタル被変調波を選択しデジタル変調形式に合致するデジタル復調により複数トランスポートストリーム形式のデジタルデータを復調する選択デジタル復調手段と、前記複数トランスポートストリーム形式のデジタルデータの複数トランスポートストリームヘッダを検出し該複数トランスポートストリームヘッダの到達時間差から前記デジタル復調された複数トランスポートストリーム形式のデジタルデータの到着時間差を吸収する時間差検出吸収手段と、該到達時間差が吸収された複数の複数トランスポートストリーム形式のデジタルデータの内から、分割前のトランスポート形式のデジタルデータのトランスポートストリーム配置情報を有する複数トランスポートストリームヘッダが多重される複数トランスポートストリーム形式のデジタルデータを検出する手段と、前記検出された複数トランスポートストリームヘッダが有する前記分割前の前記トランスポート形式のデジタルデータのトランスポートストリーム配置情報に基づいて、伝送前の複数トランスポートストリーム形式のデジタルデータを合成する合成手段と、前記複数トランスポートストリームヘッダが有する多重化されたトランスポートストリーム形式のデジタルデータのトランスポートストリーム配置情報に基づいて、前記複数トランスポートストリーム形式のデジタルデータを多重化前のトランスポートストリーム形式のデジタルデータに分離すると共に前記複数トランスポートストリームヘッダを除去する分離除去手段とを備えたことを特徴とするデジタルデータの受信装置。
【発明の詳細な説明】
【０００１】
【発明の属する技術分野】
本発明は、デジタルデータを周波数多重して伝送するデジタルデータの送信装置ならびに受信装置に適用して有効な技術に関するものである。
【０００２】
【従来の技術】
従来のデジタルデータの送信装置ならびに受信装置には、特開２００１−１９７０２８号公報（以下、文献１と記す）に開示される周波数多重データ伝送の送信装置ならびに受信装置があった。この文献１に記載の送信装置ならびに受信装置では、１トランスポンダ（中継器）当たり毎秒５２．１７メガビット（１８８バイト）の伝送速度の複数ＴＳ（トランスポートストリーム）方式で伝送されるＢＳデジタル放送のＴＳ形式のデジタルデータを、伝送速度が毎秒２９．１６２メガビット（１８８バイト）のデジタルＣＡＴＶの２つの搬送波で送信装置から受信装置に伝送する構成となっていた。
【０００３】
すなわち、文献１に記載の送信装置では、文献１の図１１に示されるように、分離回路が例えばＢＳデジタル受信機からの衛星デジタル放送（以下、ＢＳデジタル放送と記す）で伝送された高速度の複数ＴＳ形式のデジタルデータとＴＭＣＣとを分離した後に、デジタルデータについては、ケーブルテレビのデジタル伝送方式の一の搬送波で伝送できるデータ速度以下である低速度の２つのデジタルデータに分離する。次に、パケット合成回路が分離されたデジタルデータのそれぞれにヌルデジタルデータを多重し、ケーブルテレビのデータ伝送速度に合致した速度の複数ＴＳ形式のデジタルデータを生成する。この後に、デジタル変調手段として機能する６４ＱＡＭ変調回路がパケット合成回路で生成されたそれぞれの複数ＴＳ形式のデジタルデータで搬送波をデジタル変調し、周波数多重回路が変調されたデジタルデータを周波数多重してケーブルテレビの伝送路に送出する構成となっていた。
【０００４】
一方、受信装置では、周波数選択回路が、まず伝送路の信号から周波数多重された複数の変調後のデジタルデータを選択し、次に６４ＱＡＭ復調回路が選択された変調後のデジタルデータから複数ＴＳ形式のデジタルデータをデジタル復調する。次に、誤り訂正回路がデジタル復調されたそれぞれの複数ＴＳ形式のデジタルデータ毎に誤り訂正を行う。次に、データ合成回路がそれぞれの複数ＴＳ形式のデジタルデータからヌルデジタルデータ分離した後に、それぞれの複数ＴＳ形式のデジタルデータを合成し元の複数ＴＳ形式のデジタルデータすなわちＢＳデジタル受信機からのＢＳデジタル放送で伝送された複数ＴＳ形式のデジタルデータを生成する。この複数ＴＳ形式のデジタルデータは、ＴＳ分離回路に入力され、このＴＳ分離回路からの出力がＴＳパケット分離回路に入力される構成となっていた。
【０００５】
【発明が解決しようとする課題】
本発明者は、前記従来技術を検討した結果、以下の問題点を見いだした。
【０００６】
文献１に記載の送信装置ならびに受信装置では、分離回路により分離された２つのデジタルデータ毎に、専用のパケット合成回路が配置される構成となっており、それぞれのパケット合成回路が分離されたデジタルデータのそれぞれにヌルデジタルデータを多重しケーブルテレビのデータ伝送速度に合致した速度の複数ＴＳ形式のデジタルデータを生成する構成となっていた。また、各パケット合成回路には、ＴＳＭＦパケットを生成するＴＳＭＦ生成回路、ヌルデジタルデータを生成するヌル生成回路、及び分離されたデジタルデータとヌルデジタルデータとＴＳＭＦパケットとを合成するＴＳ合成回路がそれぞれ配置される構成となっていた。一方、受信装置では、データ合成回路がヌルデジタルデータ分離した後の複数ＴＳ形式のデジタルデータを合成し、元の単一のＴＳ形式のデジタルデータすなわちＢＳデジタル放送で伝送された高速度のＴＳ形式のデジタルデータを合成する構成となっていた。
【０００７】
すなわち、文献１に記載の送信装置ならびに受信装置では、送信装置の側はＢＳデジタル放送で伝送された高速度のデジタルデータを２つのデジタルデータ列に分離した後に、それぞれのデジタルデータ列にＴＳＭＦパケットを合成し、分離されたデジタルデータ列を複数ＴＳ形式のデジタルデータを得る構成となっており、受信装置の側は伝送された２つの複数ＴＳ形式のデジタルデータを合成した後に、ＴＳＭＦパケットを分離し、ＴＳＭＦパケットが分離されたデジタルデータを映像と音声とのそれぞれのパケットに分離する構成となっており、送信装置の側と受信装置の側とで、ＴＳＭＦパケットの扱いが矛盾しているという問題があった。
【０００８】
また、文献１に記載の送信装置ならびに受信装置では、ＢＳデジタル放送で伝送された高速度の複数ＴＳ形式のデジタルデータと、ＴＳＭＦ生成回路が生成するＴＳＭＦパケットとの関係が記載されていないので、受信装置を構成するデータ合成回路によるＢＳデジタル放送で伝送された高速度の複数ＴＳ形式のデジタルデータのＴＳＭＦパケットが再現できないという問題があった。
【０００９】
本発明の目的は、一の搬送波で伝送可能な速度以上の高速度なＭＰＥＧ−ＴＳ形式デジタルデータを複数ＴＳ形式デジタルデータで複数の搬送波を用いて周波数多重伝送することが可能な技術を提供することにある。
【００１０】
本発明の前記ならびにその他の目的と新規な特徴は、本明細書の記述及び添付図面によって明らかになるであろう。
【００１１】
【課題を解決するための手段】
本願において開示される発明のうち、代表的なものの概要を簡単に説明すれば、下記のとおりである。
【００１２】
（１）デジタルデータのデジタル伝送方式による一の搬送波で伝送できるデータ速度以上のトランスポートストリーム形式のデジタルデータを伝送路に伝送するデジタルデータの送信装置において、前記トランスポートストリーム形式のデジタルデータに他のトランスポートストリーム形式のデジタルデータを多重化し、前記多重化されたトランスポートストリーム形式のデジタルデータに、ヘッダ生成手段により生成された複数トランスポートストリームヘッダとヌルデジタルデータ生成手段により生成されたヌルデジタルデータとを合成し、複数トランスポートストリーム形式のデジタルデータを生成する合成手段と、クロック同期発生手段の伝送速度と複数トランスポートストリーム形式のデジタルデータの速度の速度誤差に応じてヌルデジタルデータを生成し前記合成手段に加えるヌルデジタルデータ生成手段と、前記合成手段により生成された複数トランスポートストリーム形式のデジタルデータを２以上の複数トランスポートストリーム形式のデジタルデータに分離する分離手段と、を有する複数トランスポートストリーム多重化分割手段と、前記複数トランスポートストリーム多重化分割手段により生成されたそれぞれの複数トランスポートストリーム形式のデジタルデータで搬送波をデジタル変調しデジタル被変調波を生成するデジタル変調手段と、前記複数のデジタル被変調波を周波数多重して前記伝送路に送出する信号合成手段とを備えた。
【００１３】
（２）前述した（１）に記載のデジタルデータの送信装置において、前記分離手段は、前記分離されたデジタルデータの内の少なくとも一の複数トランスポートストリーム形式のデジタルデータに前記ヘッダ生成手段により生成された複数トランスポートストリームヘッダを割り当て、他の複数トランスポートストリーム形式のデジタルデータには予め設定された複数トランスポートストリームヘッダを割り当てる手段を備えた。
【００１４】
（３）前述した（１）に記載のデジタルデータの送信装置において、前記分離手段は、前記ヘッダ生成手段により生成された複数トランスポートストリームヘッダを複製する複製手段を備え、前記複製手段により複製された前記複数トランスポートストリームヘッダを前記分離されたそれぞれの複数トランスポートストリーム形式のデジタルデータに合成し、同一の複数トランスポートストリームヘッダを有する複数トランスポートストリーム形式のデジタルデータに分離する。
【００１６】
（４）伝送路を用いて伝送される複数のデジタル被変調波から元のトランスポートストリーム形式のデジタルデータを復元するデジタルデータの受信装置において、前記デジタル被変調波から所望のデジタル被変調波を選択しデジタル変調形式に合致するデジタル復調により複数トランスポートストリーム形式のデジタルデータを復調する選択デジタル復調手段と、前記複数トランスポートストリーム形式のデジタルデータの複数トランスポートストリームヘッダを検出し該複数トランスポートストリームヘッダの到達時間差から前記デジタル復調された複数トランスポートストリーム形式のデジタルデータの到着時間差を吸収する時間差検出吸収手段と、該到達時間差が吸収された複数の複数トランスポートストリーム形式のデジタルデータの内から、分割前のトランスポート形式のデジタルデータのトランスポートストリーム配置情報を有する複数トランスポートストリームヘッダが多重される複数トランスポートストリーム形式のデジタルデータを検出する手段と、前記検出された複数トランスポートストリームヘッダが有する前記分割前の前記トランスポート形式のデジタルデータのトランスポートストリーム配置情報に基づいて、伝送前の複数トランスポートストリーム形式のデジタルデータを合成する合成手段と、前記複数トランスポートストリームヘッダが有する多重化されたトランスポートストリーム形式のデジタルデータのトランスポートストリーム配置情報に基づいて、前記複数トランスポートストリーム形式のデジタルデータを多重化前のトランスポートストリーム形式のデジタルデータに分離すると共に前記複数トランスポートストリームヘッダを除去する分離除去手段とを備えた。
【００１７】
前述した手段によれば、送信装置では、トランスポートストリーム形式のデジタルデータに他のトランスポートストリーム形式のデジタルデータが入力されると、まず、デジタルデータ合成手段が入力されたデジタルデータを多重化し、トランスポートストリーム形式のデジタルデータを生成する。次に、ヘッダ生成手段がデジタルデータ合成手段により多重化されたトランスポートストリーム形式のデジタルデータに基づいて、トランスポートストリーム配置情報を有する複数トランスポートストリーム形式の複数トランスポートストリームヘッダを生成する。ヘッダ合成手段がヘッダ生成手段により生成された複数トランスポートストリームヘッダと、多重化されたトランスポートストリーム形式のデジタルデータとを合成し、複数トランスポートストリーム形式のデジタルデータを生成する。分離手段がヘッダ合成手段により生成された複数トランスポートストリーム形式のデジタルデータを、２以上の複数トランスポートストリーム形式のデジタルデータに分離する。データ多重手段が分離されたそれぞれの複数トランスポートストリーム形式のデジタルデータにヌルデジタルデータを多重し、送信装置から受信装置への伝送路の伝送速度に合致する速度の複数トランスポートストリーム形式のデジタルデータを生成する。デジタル変調手段がデータ多重手段により生成されたそれぞれの複数トランスポートストリーム形式のデジタルデータで搬送波をデジタル変調し、デジタル被変調波を生成する。この後に、信号合成手段が複数のデジタル被変調波を周波数多重して、伝送路に送出する。
【００１８】
すなわち、送信装置では、トランスポートストリーム形式のデジタルデータの他に、このトランスポートストリーム形式のデジタルデータとは異なる他のトランスポートストリーム形式のデジタルデータが入力されると、まず、トランスポートストリーム形式のデジタルデータと他のトランスポートストリーム形式のデジタルデータとを多重し、この多重されたトランスポートストリーム形式のデジタルデータから複数トランスポートストリーム形式のデジタルデータを生成する。次に、この複数トランスポートストリーム形式のデジタルデータを、２以上の複数トランスポートストリーム形式のデジタルデータに分離した後に、それぞれの複数トランスポートストリーム形式のデジタルデータを伝送路の伝送速度に合致した速度の複数トランスポートストリーム形式のデジタルデータとする。この後に、伝送速度に合致した速度の各複数トランスポートストリーム形式のデジタルデータをＲＦ変調した後に、ＲＦ多重し伝送路に出力するので、送信装置の側と受信装置の側とにおける複数トランスポートストリームヘッダの扱いを同じにできる。
【００１９】
受信装置では、まず、選択デジタル復調手段がデジタル被変調波から所望のデジタル被変調波を選択し、このデジタル被変調波のデジタル変調形式に合致するデジタル復調により、複数トランスポートストリーム形式のデジタルデータを復調する。次に、時間差検出吸収手段が複数トランスポートストリーム形式のデジタルデータの複数トランスポートストリームヘッダを検出し、該複数トランスポートストリームヘッダの到達時間差からデジタル復調された複数トランスポートストリーム形式のデジタルデータの到着時間差を吸収する。ここで、該到達時間差が吸収された複数の複数トランスポートストリーム形式のデジタルデータの内から、分割前のトランスポート形式のデジタルデータのトランスポートストリーム配置情報を有する複数トランスポートストリームヘッダの多重される複数トランスポートストリーム形式のデジタルデータが検出され、合成手段が検出された複数トランスポートストリームヘッダが有する分割前のトランスポート形式のデジタルデータのトランスポートストリーム配置情報に基づいて、伝送前の複数トランスポートストリーム形式のデジタルデータを合成する。この後に、除去手段が合成された複数トランスポートストリーム形式のデジタルデータから複数トランスポートストリームヘッダを除去するので、大容量のデジタルデータの同期合成が可能であり、受信側の複数ＴＳ分離手段によって複数ＴＳ形式デジタルデータから伝送前のデジタルデータを得るので、元のＭＰＥＧ−ＴＳ形式デジタルデータを得ることが可能となる。
【００２０】
また、ＭＰＥＧ−２で圧縮された画像などのデジタルデータが多重されたトランスポートストリーム形式でデータを送ることができるので、超高精細映像などの今後のデジタル放送で必要とされる大容量のデジタルデータを有効に伝送することが可能となる。
【００２１】
【発明の実施の形態】
以下、本発明について、発明の実施の形態（実施例）とともに図面を参照して詳細に説明する。
【００２２】
なお、発明の実施の形態を説明するための全図において、同一機能を有するものは同一符号を付け、その繰り返しの説明は省略する。
【００２３】
（実施の形態１）
図１は本発明の実施の形態１のデジタルデータの送信装置ならびに受信装置の概略構成を説明するための図であり、特に、衛星デジタル放送をＣＡＴＶ伝送するケーブルテレビの送信装置ならびに受信装置に本発明を適用した図である。
【００２４】
図１において、１は送信装置、２は受信装置、３は伝送路、１０は衛星放送受信アンテナ、１１は衛星デジタル受信機、１２は複数ＴＳ多重化分割回路、１３ａ，１３ｂは６４ＱＡＭ変調回路、１４は周波数多重回路、２１ａ，２１ｂは周波数選択６４ＱＡＭ復調回路、２２は複数ＴＳヘッダ時間差検出吸収回路、２３はデータ合成回路、２４は複数ＴＳ分離回路、２５はＭＰＥＧ−ＴＳパケット分離回路、２６はＭＰＥＧビデオデコーダ回路、２７はオーディオデコーダ回路、２８は受信端末側の表示装置、１０１はデジタル復調／復号回路、１２１ａ、１２１ｂは他のデータ入力、１２２は複数ＴＳ合成回路、１２３はパケット合成回路、１２４は速度比較回路、１２５はクロック同期発生回路、１２６は複数ＴＳヘッダ生成回路、１２７は複製回路、１２８はヌルパケット生成回路、１２９は時分割分離回路である。なお、実施の形態１では、主要な機能部のみを示しており制御マイコンなどの周辺回路ブロックは略している。
【００２５】
送信装置１では、衛星放送受信アンテナ１０によって受信された衛星デジタル放送の変調信号は、ケーブルによって送信装置１を構成する衛星デジタル受信機１１内のデジタル復調／復号回路１０１により、単一のＭＰＥＧ−ＴＳ形式デジタルデータに変調／復号される。ただし、デジタル復調／復号回路１０１による変調／復号処理では、選択されたチャネルのデジタル復調、及び誤り訂正、並びにエネルギー拡散等の衛星デジタル放送で規定される伝送路復号処理がなされる。特に、日本の衛星デジタル放送にはＣＳデジタル放送とＢＳデジタル放送とがあり、ＣＳデジタル放送は単一のＴＳ（トランスポートストリーム）で放送されているので、ＣＳデジタル放送波がデジタル復調／復号回路１０１に入力された場合には、そのＴＳがデジタル復調／復号回路１０１から出力されることを意味する。一方、ＢＳデジタル放送は複数ＴＳで放送されるので、ＢＳデジタル放送波がデジタル復調／復号回路１０１に入力された場合には、複数ＴＳの内の１ＴＳがデジタル復調／復号回路１０１から出力されることを意味する。
【００２６】
また、実施の形態１では、複数ＴＳ合成回路１２２を構成するパケット合成回路１２３は、ＭＰＥＧ−ＴＳデジタルデータの入力として、デジタル復調／復号回路１０１からの信号入力の他に、他のＭＰＥＧ−ＴＳデジタルデータが入力される他のデータ入力１２１ａ，１２１ｂを備えている。従って、実施の形態１のパケット合成回路１２３は、デジタル復調／復号回路１０１で得られた単一のＭＰＥＧ−ＴＳデジタルデータの他に、他のデータ入力１２１ａ，１２１ｂからのＭＰＥＧ−ＴＳデジタルデータが入力されると、まず、この入力された各ＭＰＥＧ−ＴＳデジタルデータを合成（多重化）する構成となっている。
【００２７】
また、実施の形態１のパケット合成回路１２３は、合成されたＭＰＥＧ−ＴＳデジタルデータの各フレームの配置情報すなわちＴＳ配置情報を複数ＴＳヘッダ生成回路１２６に出力する構成となっている。また、パケット合成回路１２３は複数ＴＳヘッダ生成回路１２６からＴＳ配置情報を有する複数ＴＳヘッダが入力されると、この複数ＴＳヘッダと合成されたＭＰＥＧ−ＴＳデジタルデータとを合成し、複数ＴＳ形式デジタルデータを生成する。次に、パケット合成回路１２３はヌルパケット生成回路１２８からのヌルパケットを複数ＴＳ形式デジタルデータに多重化することによって、規定速度の２倍の速度の複数ＴＳ形式デジタルデータを生成し、時分割分離回路１２９に出力する。ただし、このヌルパケットの生成は、まず、速度比較回路１２４が複数ＴＳ多重化分割回路１２の動作速度の基になっているクロック同期発生回路１２５の伝送速度情報と、パケット合成回路１２３からの複数ＴＳ形式デジタルデータの速度情報との比較を行うことで速度情報比較を行い、速度誤差信号を得てヌルパケット生成回路１２８に出力する。次に、ヌルパケット生成回路１２８が、入力された速度誤差に応じてヌルパケットをパケット合成回路１２３に加えることによって、規定速度の２倍の速度の複数ＴＳ形式デジタルデータを生成する構成となっている。なお、複数ＴＳヘッダ生成回路１２６は、入力されたＴＳ配置情報を有する複数ＴＳヘッダを生成し、パケット合成回路１２３に出力する構成となっている。
【００２８】
時分割分離回路１２９は、入力された複数ＴＳ形式デジタルデータの複数ＴＳヘッダを複製する複製回路１２７を有する構成となっており、実施の形態１では、時分割分離回路１２９が入力された複数ＴＳ形式デジタルデータを分割し、複製回路１２７が分割された他方の複数ＴＳ形式デジタルデータに複製した複数ＴＳヘッダを多重する構成となっている。時分割分離回路１２９から出力された分割された複数ＴＳ形式デジタルデータは、規定速度の複数ＴＳ形式デジタルデータとして６４ＱＡＭ変調回路１３ａ、１３ｂに送り出される。なお、速度比較回路１２４の入力はパケット合成回路１２３の出力の代わりに、時分割分離回路１２９の一方の出力であっても、同様の動作が可能である。この規定速度の複数ＴＳデジタルデータは、６４ＱＡＭ変調回路１３ａ、１３ｂで６４ＱＡＭの多値デジタル変調された後に、周波数多重回路１４によって他の被変調波と周波数多重されて伝送路３に送信される。規定速度の複数ＴＳ形式デジタルデータを出力する時分割分離回路１２９の２出力は、複数ＴＳ形式デジタルデータの複数ＴＳヘッダから全てのデータが同期して出力される。
【００２９】
一方、受信装置２では、伝送路３に送出された複数のデジタル変調された被変調波を入力とし、複数のデジタル変調された被変調波から複数の周波数選択６４ＱＡＭ復調回路２１ａ、２１ｂが必要な被変調波を選択し復調した後に、複数ＴＳヘッダ時間差検出吸収回路２２に出力する。複数ＴＳヘッダ時間差検出吸収回路２２は、周波数選択６４ＱＡＭ復調回路２１ａ、２１ｂからの複数ＴＳ形式デジタルデータ内の複数ＴＳヘッダの到着時間差を検出して、その時間差を吸収することで、送信側の時分割分離回路１２９で分割され同期した複数ＴＳ形式デジタルデータを得る。これらの分割され同期した複数ＴＳ形式デジタルデータは、データ合成回路２３が複数ＴＳ形式デジタルデータ内の複数ＴＳヘッダの有するＴＳ配置情報に基づいて合成する構成となっており、送信側のパケット合成回路１２３の出力である高速度の複数ＴＳ形式デジタルデータが生成される。複数ＴＳ分離回路２４では、高速度の複数ＴＳ形式デジタルデータを複数ＴＳヘッダに基づいて、各ＭＰＥＧ−ＴＳ形式デジタルデータを再生すると共に、複数ＴＳヘッダを削除する。
【００３０】
これにより、複数ＴＳ多重化分割回路１２を構成する複数ＴＳ合成回路１２２の入力と同一である単一のＭＰＥＧ−ＴＳ形式デジタルデータに戻すことができる。単一のＭＰＥＧ−ＴＳ形式デジタルデータはＭＰＥＧ−ＴＳパケット分離回路２５に入力されて、ＭＰＥＧ−ＴＳパケット分離回路２５が映像と音声のそれぞれのパケットを分離して、映像パケットデータはＭＰＥＧビデオデコーダ２６でデコードされ、音声パケットはＭＰＥＧオーディオデコーダ回路２７でデコードされて、映像信号と音声信号が得られて、表示装置２８に入力される。このとき、他のデータ入力１２１ａ，１２１ｂから入力された他のデジタルデータが、ＭＰＥＧ−ＴＳ形式の映像や音声に関係するものについては、複数ＴＳ分離回路２４からＭＰＥＧ−ＴＳパケット分離回路２５に出力され、このＭＰＥＧ−ＴＳパケット分離回路２５で分離されたパケットの内で映像はＭＰＥＧビデオデコーダ回路２６に出力され、音声はＭＰＥＧオーディオデコーダ回路２７に出力され、それぞれデコードされる。一方、他のデータ入力１２１ａ，１２１ｂから入力された他のデジタルデータが、ＭＰＥＧ−ＴＳ形式の映像や音声に関係するもの以外の場合には、複数ＴＳ分離回路２４から直接図示しない出力端子に出力される。
【００３１】
なお、複数ＴＳヘッダ時間差検出吸収回路２２、データ合成回路２３では、同期した複数ＴＳ形式デジタルデータを得るために用いた複数ＴＳヘッダについては、除去あるいはヌルパケットとに置換えることで、複数ＴＳ分離回路２４の複数ＴＳヘッダの処理を円滑にさせることも可能である。
【００３２】
このように、実施の形態１では、送信装置１内の衛星デジタル受信機１１からの衛星デジタル放送で伝送されたデジタルデータがＭＰＥＧ−ＴＳ形式で、ＢＳデジタル放送では３４.５ＭＨｚ帯域を有した１トランスポンダで５２．１７Ｍｂｐｓの伝送速度である。一方、ＣＡＴＶの６ＭＨｚ帯域の６４ＱＡＭでの伝送速度は２９.１６２Ｍｂｐｓであるが、複数ＴＳの場合には複数ＴＳヘッダ部分は別情報を送っているので、２９.１６２Ｍｂｐｓの５３分の１だけ減って、伝送速度は約２８．６１Ｍｂｐｓである。その結果、６ＭＨｚ帯域の６４ＱＡＭの２系統を使って、その伝送速度の合計を約５７．２２Ｍｂｐｓとしての伝送を実現できる。その結果、今後の衛星デジタル放送で単一のＭＰＥＧ−ＴＳデジタルデータで２９.１６２Ｍｂｐｓ以上のサービスが実施されても、ＣＡＴＶ伝送できることとなる。
【００３３】
また、複数ＴＳヘッダ時間差検出吸収回路２２で時間間隔が約２．７６ｍｓである複数ＴＳヘッダを用いて複数ＴＳ形式デジタルデータの到着時間差を検出するので、周波数選択６４ＱＡＭ復調回路２１ａ、２１ｂの出力のデジタルデータの到着時間がずれていても、複数ＴＳヘッダ出現時間間隔の半分である約１．３７ｍｓまでならば、複数ＴＳヘッダの到着時間差を検出することが可能である。その結果、同一のケーブルテレビの伝送路３に限らず、２つの複数ＴＳのＭＰＥＧ−ＴＳデジタルデータの一方をＶＨＦ帯で、他方をＵＨＦ帯で伝送するような帯域分割局間伝送の別帯域処理や、デジタル用の１台以上の送信装置を共用し別のルートでの供給を行ういわゆるケーブルテレビネットワーク配信方式を行う場合であっても、元のデータを得ることが可能となる。
【００３４】
次に、図２に実施の形態１の送信装置の内部のデジタルデータ処理過程のデータ信号列を説明するための図を、図３に伝送路に送出された伝送路上での周波数多重概念図を、図４に実施の形態１の受信装置の内部のデジタルデータ処理過程を説明するための図を示し、以下、図２〜４に基づいて実施の形態１のデジタルデータの送信装置ならびに受信装置における動作を説明する。
【００３５】
図２において、２０１は同期バイト、２０２はデジタルデータ、２０３は誤り訂正符号、２０４，２０５，２０６はＭＰＥＧ−ＴＳ形式デジタルデータ列、２０７は複数ＴＳ形式デジタルデータ列、２０８ａ，２０８ｂは複数ＴＳ形式分割デジタルデータ列、２０９ａ，２０９ｂは複数ＴＳ形式伝送デジタルデータ列、２０７１は複数ＴＳヘッダ、２０７２はヌルデータパケットである。
【００３６】
図１との関係では、ＭＰＥＧ−ＴＳ形式デジタルデータ列２０４，２０５，２０６は、デジタル復調／復号回路１０１の出力、あるいは他のデータ入力１２１ａもしくは他のデータ入力１２１ｂからの複数ＴＳ多重化分割回路１２への入力データであり、複数ＴＳ多重化分割回路１２の出力は複数ＴＳ形式デジタルデータ列２０７となる。また、時分割分離回路１２９の２出力には複数ＴＳ形式伝送デジタルデータ列２０９ａ，２０９ｂが得られる。
【００３７】
ＭＰＥＧ−ＴＳ形式デジタルデータ列２０４，２０５，２０６は、誤り訂正符号を含む単一のＭＰＥＧ−ＴＳ形式デジタルデータ列であって、そのフレーム構成は、先頭の１バイトが同期バイト２０１（数値は０ｘ４７）となり、この同期バイトと１８７バイトのデジタルデータ２０２とを合わせた１８８バイトがＭＰＥＧ−ＴＳの実質的データである。ＣＡＴＶの６ＭＨｚ帯域で６４ＱＡＭ伝送をする場合、その伝送速度では２９.１６２Ｍｂｐｓに相当する。その１８８バイトに１６バイトの誤り訂正符号２０３を加えた２０４バイトがデジタル放送で伝送される単一のＭＰＥＧ−ＴＳデジタルデータであり、ＣＡＴＶの６ＭＨｚ帯域で６４ＱＡＭ伝送をする場合、誤り訂正符号を付加した伝送速度は３１．６４４Ｍｂｐｓである。また、１８８バイトのＭＰＥＧ−ＴＳは、複数の映像や音声などを含んでおりそれらの識別のため、先頭１バイトの同期バイト２０１を含む４バイトをパケットヘッダ、１８４バイトのパケットデータとして説明される場合もあるが、本願明細書中では、同期バイトと１８７バイトのデータとで説明する。
【００３８】
衛星デジタル放送で伝送された単一のＭＰＥＧ−ＴＳ形式デジタルデータであるＭＰＥＧ−ＴＳ形式デジタルデータ列２０４が複数ＴＳ多重化分割回路１２に入力されるとともに、他のデータ入力１２１ａ，１２１ｂからのＭＰＥＧ−ＴＳ形式デジタルデータ列２０５，２０６が複数ＴＳ多重化分割回路１２に入力して、複数ＴＳ形式デジタルデータ列２０７となる。なお、複数ＴＳ形式デジタルデータ列２０７では、複数ＴＳヘッダ２０７１のデータパケット（２０４バイトのデジタルデータ）の次のパケットに、次の処理であるデータ分割を考慮してヌルデータパケット２０７２を追加する。
【００３９】
時分割分離回路１２９の２つの出力には、複数ＴＳ形式伝送デジタルデータ列２０９ａ，２０９ｂが得られる。時分割分離回路１２９では、まず、複数ＴＳ形式分割デジタルデータ列２０８ａと複数ＴＳ形式分割デジタルデータ列２０８ｂとに分割するが、複数ＴＳ形式デジタルデータ列２０７の複数ＴＳヘッダの次のヌルパケットには、複数ＴＳ形式デジタルデータ列２０７の複数ＴＳヘッダの内容と同じ内容を述した複数ＴＳヘッダが置き換えられる。複数ＴＳ形式分割デジタルデータ列２０８ａは、複数ＴＳヘッダ，空白，データＴＳ１−１，空白，データＴＳ１−３，空白と続く。一方、複数ＴＳ形式分割デジタルデータ列２０８ｂは空白，複数ＴＳヘッダ，空白，データＴＳ１−２，空白，データＴＳ１−４となっているように、各データがバースト的になっているのみでその瞬時の伝送速度は遅くなっていないので、空白の時間にデータを時間軸伸長することで伝送速度を半分にして、複数ＴＳ形式伝送デジタルデータ列２０９ａ、２０９ｂにするように分割する。
【００４０】
なお、時間軸伸長は一般的にメモリ回路が用いられ、データが到着してから伸長するためデータＴＳ１−１とデータＴＳ１−２との伸長の始り時刻が違うのが一般的であるが、複数ＴＳ形式伝送デジタルデータ列２０９ａのデータＴＳ１−１の時間軸伸長は、複数ＴＳ形式伝送デジタルデータ列２０９ｂのデータＴＳ１−２の時間軸伸長と同期して行うことで、それらのデジタルデータ列を得ている。
【００４１】
図３は本発明の伝送路上での周波数多重概念図である。図１の伝送路３に送出された信号を表わし、３１は周波数多重伝送路の全体帯域、３２は６４ＱＡＭ変調回路１３ａから出力されたデジタル被変調波、３３は６４ＱＡＭ変調回路１３ｂから出力されたデジタル被変調波を表わしている。この図３から明らかなように、実施の形態１の送信装置では、６４ＱＡＭ変調回路１３ａから出力されたデジタル被変調波３２と、６４ＱＡＭ変調回路１３ｂから出力されたデジタル被変調波３３とが、周波数多重回路１４から出力された周波数多重伝送路の全体帯域３１内に伝送することができる。
【００４２】
図４は本発明の図１に係わる受信装置２の内部のデジタルデータ処理過程のデータ信号列の例を示す図である。４０１は同期バイト、４０２はデジタルデータ、４０３は誤り訂正符号、４１０ａ、４１０ｂは受信された複数ＴＳ形式伝送デジタルデータ列、４１１ａ、４１１ｂは到着時間差吸収された複数ＴＳ形式伝送デジタルデータ列、４１２ａ、４１２ｂは時間軸圧縮された複数ＴＳ形式伝送デジタルデータ列、４１３は合成された複数ＴＳ形式デジタルデータ列、４１４、４１５、４１６は複数ＴＳ分割されたＭＰＥＧ−ＴＳ形式デジタルデータ列、４１０１ａ、４１０１ｂは複数ＴＳヘッダ、４１３１は複数ＴＳヘッダ、４１３２はヌルデータパケットである。
【００４３】
周波数選択６４ＱＡＭ復調回路２１ａ、２１ｂからの受信された複数ＴＳ形式伝送デジタルデータ列４１０ａ、４１０ｂには到着時間にＴ１の時間差があり、複数ＴＳヘッダ時間差検出吸収回路２２で到着時間差Ｔ１を吸収して到着時間差吸収された複数ＴＳ形式伝送デジタルデータ列４１１ａ、４１１ｂになる。データ合成回路２３で、各々２倍の伝送速度に時間軸圧縮されて時間軸圧縮された複数ＴＳ形式伝送デジタルデータ列４１２ａと４１２ｂになる。
【００４４】
その際に、合成することを考慮して複数ＴＳ形式伝送デジタルデータ列４１２ａには、複数ＴＳヘッダ，データＴＳ１−１，データＴＳ１−３の間に空白の時間を設け、複数ＴＳ形式伝送デジタルデータ列４１２ｂにも複数ＴＳヘッダ，データＴＳ１−２，データＴＳ１−４の間に空白の時間を設け、複数ＴＳ形式伝送デジタルデータ列４１２ａの空白時間に複数ＴＳ形式伝送デジタルデータ列４１２ｂにも複数ＴＳヘッダ，データＴＳ１−２，データＴＳ１−４が合成できるように時刻管理する。また、データ合成回路２３では、一方の入力である複数ＴＳ形式伝送デジタルデータ列４１２ａはそのまま複数ＴＳヘッダ，データＴＳ１−１，データＴＳ１−３のデータ列として合成し、他方の入力である複数ＴＳ形式伝送デジタルデータ列４１２ｂの複数ＴＳヘッダはヌルデータパケットに置換えられ、データＴＳ１−２，データＴＳ１−４のデータ列が合成されて、合成された複数ＴＳ形式デジタルデータ列４１３になる。複数ＴＳヘッダ４１３１は複数ＴＳ形式伝送デジタルデータ列４１２ａの複数ＴＳヘッダがそのまま残り、ヌルデータパケット４１３２はデータ合成回路２３で複数ＴＳ形式伝送デジタルデータ列４１２ｂの複数ＴＳヘッダが置換えられたものである。
【００４５】
なお、複数ＴＳ形式伝送デジタルデータ列４１２ｂの複数ＴＳヘッダからヌルデータパケットへの置き換えは、複数ＴＳヘッダ時間差検出吸収回路２２の処理である到着時間差吸収された複数ＴＳ形式伝送デジタルデータ列４１１ａ、４１１ｂになった時点で行っても良い。また、ヌルデータパケットへの置き換えの代わりにデータ自身を削除してもよいが、その期間は他のデータ（例えば、データＴＳ１−２）が前倒しで来ないように信号処理を停止するなどの処理を施すことで、合成された複数ＴＳ形式デジタルデータ列４１３のヌルデータパケット４１３２の無い状態にする必要がある。
【００４６】
複数ＴＳ分離回路２４で、合成された複数ＴＳ形式デジタルデータ列４１３から複数ＴＳ形式デジタルデータ列４１３の複数ＴＳヘッダ４１３１とその後に追加されたヌルデータパケット４１３２を削除するともに複数ＴＳヘッダ４１３１情報から複数ＴＳ分割されたＭＰＥＧ−ＴＳ形式デジタルデータ列４１４あるいは複数ＴＳ分割されたＭＰＥＧ−ＴＳ形式デジタルデータ列４１５あるいは複数ＴＳ分割されたＭＰＥＧ−ＴＳ形式デジタルデータ列４１６の単一のＭＰＥＧ−ＴＳ形式デジタルデータ列を選択分離する。その結果、送信側の複数ＴＳ多重化分割回路１２に加えられたデジタル復調／復号回路１０１で得られた単一のＭＰＥＧ−ＴＳデジタルデータ、または他のデータ入力１２１ａ，１２１ｂからのＭＰＥＧ−ＴＳデジタルデータから選択できることになり、送信側のＭＰＥＧ−ＴＳデジタルデータを復元することができる。なお、ヌルデータパケットはＭＰＥＧ−ＴＳパケットの形式で多重されているので、ＭＰＥＧ−ＴＳパケット分離回路２５で無視され、受信側の複数ＴＳ分離回路２４でヌルデータパケット４１３２を必ずしも削除する必要はない。
【００４７】
以上の結果、各搬送波で伝送できる容量より多くのデータを伝送することが可能となる。ＣＡＴＶの６ＭＨｚ帯域の６４ＱＡＭでの伝送速度は３１．６４４Ｍｂｐｓであり、誤り訂正のための冗長データや複数ＴＳヘッダを除いた伝送速度は約２８．６１Ｍｂｐｓであるが、本発明の実施の形態１で示すように、その６ＭＨｚ帯域の６４ＱＡＭ信号を２系統の複数で周波数多重すると約５７．２２Ｍｂｐｓデータを伝送することができる。そうすれば、ＢＳデジタル放送の衛星デジタル放送で、３４.５ＭＨｚ帯域を有した１トランスポンダで５２．１７Ｍｂｐｓの伝送速度を有しており、この信号が単一のＭＰＥＧ−ＴＳデジタルデータであってもＣＡＴＶで伝送可能となる。なお、ＭＰＥＧ−２で圧縮された高精細度映像が約２０Ｍｂｐｓであるので、５２．１７Ｍｂｐｓの伝送速度で高精細度映像を２プログラム伝送可能であるが、更なる超高精細映像プログラムなど今後の衛星デジタル放送により単一のＭＰＥＧ−ＴＳデジタルデータで２９.１６２Ｍｂｐｓ以上のサービスが実施されてもＣＡＴＶ伝送できる利点がある。
【００４８】
以上説明したように、実施の形態１のケーブルテレビの送信装置及び受信装置では、ケーブルテレビの送信装置１を構成し複数ＴＳ多重化分割手段として機能する複数ＴＳ多重化分割回路１２が、例えば衛星デジタル受信機１１からの衛星デジタル放送で伝送された高速度のＭＰＥＧ−ＴＳ形式デジタルデータならびに他のＭＰＥＧ−ＴＳ形式デジタルデータを多重化した後に、ケーブルテレビのデジタル伝送方式の一の搬送波で伝送できるデータ速度以下である低速度の２つの複数ＴＳ形式デジタルデータに多重・分割する際に、複製回路１２７が複製した複数ＴＳヘッダの複数ＴＳ形式デジタルデータを生成する。この後に、デジタル変調手段として機能する６４ＱＡＭ変調回路１３ａ、１３ｂが複数ＴＳ多重化分割回路１２で生成されたそれぞれの複数ＴＳ形式デジタルデータで搬送波をデジタル変調しデジタル被変調波を生成し、信号合成手段として機能する周波数多重回路１４が生成されたデジタル被変調波を周波数多重して伝送路（有線系伝送路）３に送出する。
【００４９】
一方、テーブルテレビの受信装置２では、選択デジタル復調手段として機能する周波数選択６４ＱＡＭ復調回路２１ａ、２１ｂが、まず伝送路３の信号から周波数多重された複数のデジタル被変調波を選択し、選択されたデジタル被変調波からケーブルテレビのデジタル伝送方式の一の搬送波で伝送できるデータ速度以下である低速度の２つの複数ＴＳ形式デジタルデータをデジタル復調する。次に、複数ＴＳヘッダ時間差検出吸収手段として機能する複数ＴＳヘッダ時間差検出吸収回路２２が、周波数選択６４ＱＡＭ復調回路２１ａ、２１ｂによって復調された２つの受信された複数ＴＳ形式伝送デジタルデータ列４１０ａ、４１０ｂの複数ＴＳヘッダ４０１１ａと４０１１ｂを検出し、該複数ＴＳヘッダの到達時間差Ｔ１からデジタル復調された２つの受信された複数ＴＳ形式伝送デジタルデータ列４１０ａ、４１０ｂの到着時間差Ｔ１を吸収する。その後に、データ合成手段として機能するデータ合成回路２３が到達時間差Ｔ１が吸収された低速度の到着時間差吸収された複数ＴＳ形式伝送デジタルデータ列４１１ａ、４１１ｂから当該データ列よりも高速度の元の合成された複数ＴＳ形式デジタルデータ列４１３なる。その後に、複数ＴＳ分離手段として機能する複数ＴＳ分離回路２４では、同じ複数ＴＳヘッダを目標として、合成された高速度の合成された複数ＴＳ形式デジタルデータ列４１３の複数ＴＳヘッダ４１３１を削除するともに複数ＴＳヘッダ４１３１情報から複数ＴＳ分割されたＭＰＥＧ−ＴＳ形式デジタルデータすなわち衛星デジタル受信機１１からの衛星デジタル放送で伝送された高速度のＭＰＥＧ−ＴＳ形式デジタルデータならびに他のＭＰＥＧ−ＴＳ形式デジタルデータを選択分離する。
【００５０】
このように、実施の形態１のケーブルテレビの送信装置１では、例えば衛星デジタル受信機１１からの衛星デジタル放送で伝送された高速度のＭＰＥＧ−ＴＳ形式デジタルデータならびに他のＭＰＥＧ−ＴＳ形式デジタルデータを多重化した高速度の複数ＴＳ形式デジタルデータ列を奇数番目のパケットと偶数番目のパケットとの２つに分割し、この分割した低速度の２つの複数ＴＳ形式デジタルデータすなわちケーブルテレビのデータ伝送速度に合致した速度の２チャンネル分の複数ＴＳ形式デジタルデータを生成し、それぞれを異なる搬送波で変調して伝送路３に出力し、受信装置２では異なる搬送波で変調された２チャンネル分の複数ＴＳ形式デジタルデータを復調して、元のデジタルデータすなわち衛星デジタル受信機１１からの衛星デジタル放送で伝送された高速度のＭＰＥＧ−ＴＳ形式デジタルデータならびに他のＭＰＥＧ−ＴＳ形式デジタルデータを合成するものであるから、ＢＳデジタル放送などの衛星デジタル放送などのＣＡＴＶにおけるデジタル伝送方式の伝送速度以上の伝送速度を有する単一のＭＰＥＧ−ＴＳデジタルデータをＣＡＴＶ伝送することができる。
【００５１】
また、ＢＳデジタル放送で伝送される高速度のデジタルデータと共に、他のデータ入力１２１ａ，１２１ｂから入力される他のデジタルデータ（例えば、ＢＳデジタル放送を受信しＣＡＴＶに伝送する受信局が独自に送信するＭＰＥＧ−ＴＳ形式のデジタルデータ）を送信する場合であっても、送信装置の側と受信装置の側とでＴＳＭＦパケットを矛盾することなく扱うことができる。
【００５２】
なお、本発明の実施の形態では、文献２の１９９９年７月２７日に発表された映像情報メディア学会技術報告（ｖｏｌ．２３，Ｎｏ．４８）の７頁から１２頁の「ケーブルテレビ複数ＭＰＥＧ−ＴＳ多重方式の一提案」や１３頁から１８頁の「複数ＭＰＥＧ−ＴＳのケーブルテレビ伝送実験」に記載されているＣＡＴＶでの複数ＴＳ伝送方式を採用したものであり、複数ＴＳヘッダには、複数ＴＳのＴＳ分離用の情報以外に緊急警報放送用の起動フラグなどのデータを多重伝送できる領域があるので、ＢＳデジタル放送で送られてくる緊急警報放送用の起動フラグなどの情報をＣＡＴＶ伝送することも可能である。
【００５３】
この文献２に示されるＣＡＴＶでの複数ＴＳ伝送方式は、伝送容量が多く一中継器を複数の放送事業者で複数のＭＰＥＧ−ＴＳで放送されるＢＳデジタル放送をケーブルテレビで再送信するために提案されもので、２０００年８月１４日の郵政省省令によって有線テレビジョン放送法施行規則の一部が改正され、ケーブルテレビ局での運用が可能な伝送方式である。この複数ＴＳ伝送方式では、ＭＰＥＧ−ＴＳの同期バイトを先頭にする１８８バイトのＭＰＥＧ−ＴＳをＮ個（文献２の図８と図９の例では５２個）まとめ、その先頭にＴＳＭＦヘッダと呼ばれる同期バイトを先頭にする１８８バイトのＭＰＥＧ−ＴＳ形式のヘッダを設けて１８８バイトのＭＰＥＧ−ＴＳをＮ＋１個（文献２の図８と図９の例では５３個）をまとめたフレーム構造を形成している。この伝送方式によって、各中継器が２以上の複数ＴＳで運用される２０００年１２月本放送開始のＢＳデジタル放送の各番組をケーブルテレビの６ＭＨｚ帯域１チャネルで再送信可能となっている。
【００５４】
（実施の形態２）
図５は本発明の実施の形態２のデジタルデータの送信装置ならびに受信装置の概略構成を説明するための図であり、特に、通信回線により伝送された映像情報等をＣＡＴＶ伝送するケーブルテレビの送信装置ならびに受信装置に本発明を適用した図である。ただし、実施の形態２のデジタルデータの送信装置１ならびに受信装置２は、送信装置１の複数ＴＳ多重化分割回路１２に入力されるデータが異なるのみで、他の構成は実施の形態と同様である。従って、以下の説明では、送信装置１に入力されるデータの伝送路３からの送出についてのみ、詳細に説明する。
【００５５】
図５において、５０は周知のサーバ装置であり、例えば周知のＡＴＭ回線等の高速通信回線で送信装置１と接続されている。また、実施の形態１と同様に、複数ＴＳ多重化分割回路１２を構成するパケット合成回路１２３は、ＭＰＥＧ−ＴＳデジタルデータの入力として、サーバ５０からの信号入力の他に、他のＭＰＥＧ−ＴＳデジタルデータが入力される他のデータ入力１２１ａ，１２１ｂを備えている。
【００５６】
従って、サーバ５０からデジタルデータが送信装置１に伝送されると、実施の形態１と同様に、送信装置１では、パケット合成回路１２３がサーバ５０から入力された単一のＭＰＥＧ−ＴＳデジタルデータの他に、他のデータ入力１２１ａ，１２１ｂから入力された各ＭＰＥＧ−ＴＳデジタルデータを合成（多重化）する。
【００５７】
このとき、パケット合成回路１２３は、合成されたＭＰＥＧ−ＴＳデジタルデータの各フレームの配置情報、すなわちＴＳ配置情報を複数ＴＳヘッダ生成回路１２６に出力する。また、パケット合成回路１２３は複数ＴＳヘッダ生成回路１２６からＴＳ配置情報を有する複数ＴＳヘッダが入力されると、この複数ＴＳヘッダと合成されたＭＰＥＧ−ＴＳデジタルデータとを合成し、複数ＴＳ形式デジタルデータを生成する。
【００５８】
次に、パケット合成回路１２３はヌルパケット生成回路１２８からのヌルパケットを複数ＴＳ形式デジタルデータに多重化することによって、規定速度の２倍の速度の複数ＴＳ形式デジタルデータを生成し、時分割分離回路１２９に出力する。ただし、このヌルパケットの生成は、まず、速度比較回路１２４が複数ＴＳ多重化分割回路１２の動作速度の基になっているクロック同期発生回路１２５の伝送速度情報と、パケット合成回路１２３からの複数ＴＳ形式デジタルデータの速度情報との比較を行うことで速度情報比較を行い、速度誤差信号を得てヌルパケット生成回路１２８に出力する。次に、ヌルパケット生成回路１２８が、入力された速度誤差に応じてヌルパケットをパケット合成回路１２３に加えることによって、規定速度の２倍の速度の複数ＴＳ形式デジタルデータを生成する。
【００５９】
時分割分離回路１２９は、入力された複数ＴＳ形式デジタルデータを分割し、複製回路１２７が分割された他方の複数ＴＳ形式デジタルデータに複製した複数ＴＳヘッダを多重する。時分割分離回路１２９から出力された分割された複数ＴＳ形式デジタルデータは、規定速度の複数ＴＳ形式デジタルデータとして６４ＱＡＭ変調回路１３ａ、１３ｂに送り出される。この規定速度の複数ＴＳデジタルデータは、６４ＱＡＭ変調回路１３ａ、１３ｂで６４ＱＡＭの多値デジタル変調された後に、周波数多重回路１４によって他の被変調波と周波数多重されて伝送路３に送信される。規定速度の複数ＴＳ形式デジタルデータを出力する時分割分離回路１２９の２出力は、複数ＴＳ形式デジタルデータの複数ＴＳヘッダから全てのデータが同期して出力される。
【００６０】
送信装置１から出力されたデータは、実施の形態１の受信動作と同様に、受信装置２で受信処理され、サーバ５０から伝送された映像情報が、表示装置２８に表示されることとなる。
【００６１】
このように、実施の形態２のデジタルデータの送信装置ならびに受信装置では、サーバ５０から入力された通信データと共に、他のデータ入力１２１ａ，１２１ｂから入力されたデジタルデータを合成し、この合成したデジタルデータから複数ＴＳ形式のデジタルデータを生成した後に、この複数ＴＳ形式のデジタルデータを分割して２つの複数ＴＳ形式のデジタルデータを生成するので、サーバ５０から入力された通信データであっても、ＣＡＴＶにおけるデジタル伝送方式の伝送速度以上の伝送速度を有する単一のＭＰＥＧ−ＴＳデジタルデータをＣＡＴＶ伝送することができる。
【００６２】
なお、本発明の実施の形態１，２では、複製回路１２７が複数した複数ＴＳヘッダを用いて複数ＴＳ形式のデジタルデータを生成する構成としたが、これに限定されることはなく、例えば、分離された一の複数ＴＳ形式のデジタルデータにのみ複数ＴＳヘッダ生成回路１２６で生成された複数ＴＳヘッダを多重し、他の複数ＴＳ形式のデジタルデータには予め設定された複数ＴＳヘッダを多重した場合でも、受信装置２に予め設定された複数ＴＳヘッダの情報を設定しておくことにより、受信装置２は予め設定された複数ＴＳヘッダのみを容易に削除できる。
【００６３】
以上、本発明者によってなされた発明を、前記発明の実施の形態に基づき具体的に説明したが、本発明は、前記発明の実施の形態に限定されるものではなく、その要旨を逸脱しない範囲において種々変更可能であることは勿論である。
【００６４】
【発明の効果】
本願において開示される発明のうち代表的なものによって得られる効果を簡単に説明すれば、下記の通りである。
【００６５】
（１）ケーブルテレビなど有線系伝送路で、大容量のデジタルデータを有効に伝送することができる。
【００６６】
（２）受信側の時間差検出吸収手段によって複数のデジタルデータの到着時間差を検出吸収するので、複数のデジタル変調手段や周波数多重で伝送された伝送路あるいは複数の選択デジタル復調手段での処理時間差などが生じても元のデータを得ることができる。
【００６７】
（３）衛星デジタル放送をケーブルテレビに伝送する場合には、複数の６ＭＨｚ帯域６４ＱＡＭで伝送できるので、衛星デジタル放送で２９．１６２Ｍｂｐｓ以上の単一のＭＰＥＧ−ＴＳデジタルデータによるサービスがされたとしてもケーブルテレビに伝送することができる。
【００６８】
（４）２９．１６２Ｍｂｐｓ以上の単一のＭＰＥＧ−ＴＳデジタルデータが伝送できるので、超高精細映像などの今後のデジタル放送で必要とされる大容量のデジタルデータを有効に伝送することができる。
【図面の簡単な説明】
【図１】本発明の実施の形態１のデジタルデータの送信装置ならびに受信装置の概略構成を説明するための図である。
【図２】実施の形態１の送信装置の内部のデジタルデータ処理過程のデータ信号列を説明するための図である。
【図３】実施の形態１の伝送路に送出された伝送路上での周波数多重概念図である。
【図４】実施の形態１の受信装置の内部のデジタルデータ処理過程を説明するための図である。
【図５】本発明の実施の形態２のデジタルデータの送信装置ならびに受信装置の概略構成を説明するための図である。
【符号の説明】
１…送信装置、２…受信装置、３…伝送路、１０…衛星放送受信アンテナ、１１…衛星デジタル受信機、１２…複数ＴＳ多重化分割回路、１３ａ，１３ｂ…６４ＱＡＭ変調回路、１４…周波数多重回路、２１ａ，２１ｂ…周波数選択６４ＱＡＭ復調回路、２２…複数ＴＳヘッダ時間差検出吸収回路、２３…データ合成回路、２４…複数ＴＳ分離回路、２５…ＭＰＥＧ−ＴＳパケット分離回路、２６…ＭＰＥＧビデオデコーダ回路、２７…オーディオデコーダ回路、２８…受信端末側の表示装置、１０１…デジタル復調／復号回路、１２１ａ、１２１ｂ…他のデータ入力、１２２…複数ＴＳ合成回路、１２３…パケット合成回路、１２４…速度比較回路、１２５…クロック同期発生回路、１２６…複数ＴＳヘッダ生成回路、１２７…複製回路、１２８…ヌルパケット生成回路、１２９…時分割分離回路、２０１…同期バイト、２０２…デジタルデータ、２０３…誤り訂正符号、２０４，２０５，２０６…ＭＰＥＧ−ＴＳ形式デジタルデータ列、２０７…複数ＴＳ形式デジタルデータ列、２０８ａ，２０８ｂ…複数ＴＳ形式分割デジタルデータ列、２０９ａ，２０９ｂ…複数ＴＳ形式伝送デジタルデータ列、２０７１…複数ＴＳヘッダ、２０７２…ヌルデータパケット、５０…サーバ。
【図１】
0003991307.tif 000002
【図２】
0003991307.tif 000003
【図３】
0003991307.tif 000004
【図４】
0003991307.tif 000005
【図５】
0003991307.tif 000006